(57)【要約】本発明は、電気泳動粒子、その間に電気泳動粒子の一部が存在する画素電極と対向電極とを有する表示素子、及び、表示素子を表示されるべき画像情報に対応する予め決定された光学状態にするために駆動信号を電極に供給する制御手段を有するディスプレイ装置。制御手段は、第一の光学状態に対応する２つの電極のうちの一方の近くの第一の位置にある電気泳動粒子を解放するのに十分なエネルギーであって、第二の光学状態に対応する他方の電極の近くの第二の位置に電気泳動粒子が到達するのを可能にするためには余りに低いエネルギーを有するプリセットパルスを含む駆動信号に先行するプリセット信号を供給するために更に構成される。制御手段は、パワーアップ又は画像切替え動作の受信の前に、又はパワーアップ又は画像切替え動作の受信に応答して、プリセット信号を供給するために更に構成される。
2007527024.tif 000002
【特許請求の範囲】
【請求項１】
電気泳動粒子、その間に前記電気泳動粒子の一部が存在する画素電極と対向電極とを有する表示素子、及び、前記表示素子を表示されるべき画像情報に対応する予め決定された光学状態にするために駆動信号を電極に供給する制御手段を有するディスプレイ装置であって、
前記制御手段は、第一の光学状態に対応する２つの電極のうちの一方の近くの第一の位置にある前記電気泳動粒子を解放するのに十分なエネルギーであって、第二の光学状態に対応する他方の電極の近くの第二の位置に前記電気泳動粒子が到達するのを可能にするためには余りに低いエネルギーを有するプリセットパルスを含む駆動信号に先行するプリセット信号を供給するために更に構成され、
前記制御手段は、パワーアップ又は画像切替え動作の受信の前に、又はパワーアップ又は画像切替え動作の受信に応答して、前記プリセット信号を供給するために更に構成される、
ことを特徴とするディスプレイ装置。
【請求項２】
タッチボタンを有する装置について、前記制御手段は、画像データの更新を開始するためのタッチ時間よりも短いタッチ時間で開始されるプリセットパルスを始めるために構成される、
請求項１記載のディスプレイ装置。
【請求項３】
前記制御手段は、偶数のプリセットパルスを発生するために更に更新される、
請求項１記載のディスプレイ装置。
【請求項４】
前記電極の一方はデータ電極を有し、前記他方の電極は選択電極を有し、前記制御手段は、選択信号を前記選択電極に印加するための第一の駆動手段と、データ信号を前記データ電極に印加するための第二の駆動手段を更に有する、
請求項１記載のディスプレイ装置。
【請求項５】
前記ディスプレイ装置は、前記データ信号を前記表示素子の画素電極に供給するためにアクティブマトリクスアドレス指定が提供される、
請求項１記載のディスプレイ装置。
【発明の詳細な説明】
【技術分野】
【０００１】
本発明は、電気泳動粒子、電気泳動粒子の一部がその間に存在する画素電極と対向電極とを含む表示素子、表示素子を予め決定された光学状態にするために駆動信号を電極に供給する制御手段とを有するディスプレイ装置に関する。
【背景技術】
【０００２】
このタイプのディスプレイ装置は、たとえばモニタ、ラップトップコンピュータ、パーソナルデジタルアシスタント、移動電話、電子書籍、電子新聞及び電子雑誌で使用されている。開始節で記載されたタイプのディスプレイ装置は、国際特許出願ＷＯ９９／５３３７３から知られている。この特許出願は、２つの基板を有する電子インクディスプレイを開示しており、２つの基板のうちの一方は透明であって、他方の基板には、行及び列に配置される電極が設けられている。行電極と列電極との間の交差は、表示素子に関連する。表示素子は、薄膜トランジスタ（ＴＦＴ）を介して列電極に結合され、このＴＦＴのゲートは、行電極に結合されている。この表示素子、ＴＦＴトランジスタ、並びに行及び列電極の配置は、全体としてアクティブマトリクスを形成する。さらに、表示素子は、画素電極を含んでいる。行ドライバは、表示素子の行を選択し、列ドライバは、列電極及びＴＦＴトランジスタを介して表示素子の選択された行にデータ信号を供給する。データ信号は、表示されるべきグラフィックデータに対応する。
【０００３】
さらに、画素電極と透明基板に設けられた共通電極との間には、電子インクが設けられている。電子インクは、約１０〜５０ミクロンの複数のマイクロカプセルを含んでいる。それぞれのマイクロカプセルは、液体に浮遊される正に帯電された白色粒子と負に帯電された黒色粒子を含んでいる。正の電場が画素電極に印加されたとき、白色粒子は、透明基板に向けられるマイクロカプセルの側に移動し、表示素子は、見る人にとって可視となる。同時に、黒色粒子は、マイクロカプセルの反対側で画素電極に移動し、ここで見る人にとって隠される。負の電場を画素電極に印加することで、黒色粒子は、透明基板に向けられるマイクロカプセルの側で共通電極に移動し、表示素子は、見る人にとって暗く見える。電場が除かれたとき、ディスプレイ装置は、必要とされる状態のままとなり、双安定特性を示す。
【０００４】
グレイスケールは、マイクロカプセルの上にある対向電極に移動する粒子の量を制御することで、ディスプレイ装置で形成することができる。たとえば、正又は負の電場のエネルギーが電場強度と印加時間との積として定義され、マイクロカプセルの上に移動する粒子の量を制御する。
【０００５】
公知のディスプレイ装置は、いわゆる停止時間（dwell  time）を示す。停止時間は、前の画像の更新と新たな画像の更新との間のインターバルとして定義される。
【０００６】
今日のディスプレイの問題点は、不正確なグレイスケール再現をもたらすアンダードライブ効果を示すことである。このアンダードライブ効果は、たとえば、ディスプレイ装置の初期状態が黒であって、ディスプレイが白と黒の状態の間で周期的に切り替えられるときに生じる。たとえば、数秒の停止時間の後、ディスプレイ装置は、２００ｍｓのインターバルについて負の電場を印加することで白に切り替えられる。次の続くインターバルでは、２００ｍｓについて電場が印加されず、ディスプレイは白のままであって、次の続くインターバルでは、２００ｍｓについて正の電場が印加され、ディスプレイは黒に切り替えられる。第一の一連のパルスの応答としてディスプレイの明るさは、数パルス後に再生することができる所望の最大の明るさ以下である。このアンダードライブ効果は、プリセット信号を使用することで低減することができる。
【０００７】
別の考慮すべきポイントは、エネルギー及びエネルギー保存である。開始節で記載されるタイプのディスプレイの大きな利点は、ひとたび画像が形成されると、画像は、電力が遮断された後でさえもそのままである点である。このため、必要な電力消費量は低く、ディスプレイは、その寿命の大部分をオフ（すなわち「スタンバイモード」）で費やす。大部分のケースでは、画像アップデートシーケンス（すなわち、表示されるべき新たな画像）は、画像の更新の前にシステムが即座にパワーアップされることを必要とする。一般に、画像の更新を始める前に、システムが完全にパワーアップされるまで待たなければならない。したがって、これにより、画像の更新が遅くなる。ディスプレイ装置の利点（低エネルギー消費）が問題点（比較的遅いスタートアップ）となる。
【発明の開示】
【発明が解決しようとする課題】
【０００８】
本発明の目的は、グレイスケールの再現を改善するために適用することができる、開始節で記載されたタイプのディスプレイ装置を提供することにある。
【課題を解決するための手段】
【０００９】
上記目的を達成するため、本発明の第一の態様は、開始パラグラフで記載されたディスプレイ装置を提供するものであって、制御手段が、駆動パルスに先行するプリセットパルスを含む駆動信号に先行するプリセット信号を供給するために更に構成されることを特徴としており、プリセットパルスは、第一の光学状態に対応する２つの電極の一方の近くの第一の位置で電気泳動粒子を解放するに十分なエネルギーであって、第二の光学状態に対応する他方の電極の近くの第二の位置の粒子が到達するには低いエネルギーを有し、制御手段は、パワーアップの受信又は画像切り替え動作を予想するか応答して、プリセット信号を供給するために更に構成される。
【００１０】
本発明は、光学的な応答は表示素子の履歴に依存するといった認識に基づいている。本発明者は、プリセットパルスが駆動信号の前に画素電極に供給されたとき、プリセット信号は、２つの電極の一方の静的状態から電気泳動粒子を解放するに十分なエネルギーであって、他方の電極に到達するには低いエネルギーをもつパルスを有しており、アンダードライブ効果が低減されたことを観察している。低減されたアンダードライブ効果のため、同一のデータ信号に光学的な応答は、ディスプレイ装置の履歴、特にその停止時間に関わらず、実質的に等しい。たとえば黒の状態である予め決定された状態にディスプレイ装置が切り替えられた後、電気泳動粒子は静的状態となり、その後の切換えが白状態であるとき、粒子のモーメントは、それらの開始速度がゼロに近いために低いので、基礎となるメカニズムを説明することができる。これにより、長いスイッチング時間となる。プリセットパルスの印加は、電気泳動粒子のモーメントを増加させ、したがって切り替え時間を短くする。
【００１１】
更なる利点は、プリセットパルスの印加は、電子インクの前の履歴を実質的に除くことであって、対照的に従来の電子インクディスプレイ装置は、新たなフレームのデータパルスの発生用に大規模な信号処理回路、幾つかの前のフレームのストレージ、及び大きなルックアップテーブルを必要とする。
【００１２】
しかし、プリセットパルスの印加は、プリセットパルス（又はシェイクパルスとも以下で呼ばれる）が時間を要するので、スタートアップサイクル周期を長くする場合がある。
【００１３】
しかし、本発明者は、高品質の画像の更新について非常に利益のあるシェイキング（すなわち、プリセットパルスの印加）は、データに独立であって（シェイキングは、表示されるべき画像の詳細に依存する必要がない）、ユーザにとって光学的に殆ど又は全然目に見ることができず、シェイキングが実質的に変化しない前後で光学的状態として、ディスプレイの性能を低下することなしに、いずれかの時間（WRONGタイム）で実現することができる。
【００１４】
このため、画像の更新がシェイキングに続く確かさが存在しない場合でさえ、シェイキングパルスは、ディスプレイに印加することができる。通常生じるように、画像の更新がパワーアップ（又はモード切換え）に従う場合、（シェイキングが既に実行されたとして）画像更新の時間を節約することができる。そのケースでは、プリセットパルスは、画像更新データの受信の終了の前に印加される。
【００１５】
画像更新がパワーアップ（又はモード切換え）に従わない可能性の低いケースでは、ディスプレイの画像に害を与えない。
【００１６】
したがって、本出願に従う装置におけるプリセットパルスは、「新たな」画像データの受信が完了される前でさえも印加される。スタートアップ期間は短縮される。
【００１７】
タッチボタンを有する装置について、画像データの更新を始めるためのタッチ時間よりも短いタッチ時間で始まるプリセットパルスを始めるために構成される制御手段により、スタートアップ周期を更に短くすることができる。
【００１８】
多くの状況では、画像の更新の要求は、タッチ入力（すなわち、ハードウェア又はソフトウェアボタンを押して）により発生される。タッチ入力イベントは、タッチの圧力が（ボタンが実際に接触されたことを確かめるために）所定の時間周期について予め決定された値を超えるために構築される必要があるので、通常、数１００ミリ秒の周期を必要とする。好適な実施の形態では、プリセットパルスの始まりは、画像データの更新を始めるためのタッチ時間よりも短いタッチ時間でトリガされる。この低減されたタッチイベントは、より迅速に検出される。プリセットパルスの印加の始まりは、パワーアップ又は画像更新動作（すなわち、フルタッチイベント）を期待して行われる。フルタッチイベントが連続して検出された場合、シーケンスがより迅速に開始され、画像の更新はより短くなる。誤ったタッチイベントのケースでは（低減されたタッチが検出された場合、フルタッチが検出されない）、ディスプレイを前にシェイキングが生じたときと同じ状態にするので、悪影響がディスプレイで見られない。
【００１９】
本発明の更なる有利な実施の形態は、従属の請求項で規定される。  
実施の形態では、ディスプレイ装置のプリセットパルスのＤＣ成分及び可視性を最小にするため、反対の極性をもつ偶数のプリセットパルスからなるプリセット信号を発生することができる。一方が正の極性をもつ、他方が負の極性をもつ２つのプリセットパルスは、この動作モード内でのディスプレイ装置の電力消費を最小にする。
【００２０】
実施の形態では、パッシブマトリクス型ディスプレイを構成するために電極が構成される。  
実施の形態では、ディスプレイ装置には、表示素子の画素電極にデータ信号を供給するためのアクティブマトリクスアドレス指定が提供される。
【発明を実施するための最良の形態】
【００２１】
本発明のこれらの態様及び他の態様は、以下に記載される実施の形態を参照して明らかにされるであろう。図は概念的であって、実寸法に描かれておらず、一般に、同じ参照符号は同じ部材を示している。
【００２２】
図１は、たとえば、数画素サイズの電気泳動ディスプレイ装置１の一部の断面を概念的に示しており、基板２、たとえばポリエチレンである２つの透明基板３，４の間に存在する電子インクをもつ電気泳動フィルムを有しており、一方の基板３には、透明画像電極５が設けられており、他方の基板４には、透明対向電極６が設けられている。電子インクは、約１０〜５０ミクロンの複数のマイクロカプセル７を有している。それぞれマイクロカプセル７は、液体Ｆに浮遊されている正に帯電された白色粒子８と負に帯電された黒色粒子９を有している。正の電場が画素電極５に印加されるとき、白色粒子８は、対向電極６に向けられるマイクロカプセル７の側に移動し、表示素子は、見る人にとって可視状態になる。同時に、黒色粒子９がマイクロカプセル７の反対側に移動し、この場合、黒色粒子は、見る人に隠される。負の電場を画素電極５に印加することで、黒色粒子９は、対向電極６に向けられるマイクロカプセル７の側に移動し、表示素子は、見る人（図示せず）にとって暗く見える。電場が取り除かれたとき、粒子８，９は、取得された状態のままであって、ディスプレイは、双安定状態を示し、実質的に電力を消費しない。
【００２３】
図２は、アクティブスイッチング素子、行ドライバ１６及び列ドライバ１０が設けられたベース基板２に貼り付けられた電気泳動フィルムを有する、ピクチャディスプレイ装置１の等価回路を概念的に示している。好ましくは、対向電極６は、カプセル化された電気泳動インクを有するフィルムに設けられているが、代替的に、インプレーンの電場を使用した動作のケースでベース基板に設けることもできる。ディスプレイ装置１は、アクティブスイッチング素子、この例では薄膜トランジスタ１９により駆動される。ディスプレイ装置１は、行又は選択電極１７と列又はデータ電極１１との交差領域で表示素子のマトリクスを有している。行ドライバ１６は、行電極１７を連続的に選択し、列ドライバ１０は、データ信号を列電極１１に供給する。好ましくは、プロセッサ１５は、到来するデータ１３をデータ信号にはじめに処理する。列ドライバ１０と行ドライバ１６との間の相互の同期は、駆動ライン１２を介して行われる。行ドライバ１６からの選択信号は、薄膜トランジスタ１９を介して画素電極２２を選択し、薄膜トランジスタのゲート電極２０は、行電極１７に電気的に接続され、ソース電極２１は、列電極１１に電気的に接続される。列電極１１に存在するデータ信号は、ＴＦＴを介してドレイン電極に結合される表示素子の画素電極２２に転送される。実施の形態では、図１のディスプレイ装置は、それぞれの表示素子１８でのロケーションで更なるキャパシタ２３を有している。この実施の形態では、更なるキャパシタ２３は、１以上のストレージキャパシタライン２４に接続される。ＴＦＴの代わりに、ダイオード、ＭＩＭ等のような他のスイッチング素子を適用することができる。
【００２４】
図３及び図４は、従来のディスプレイ装置の駆動信号を示している。瞬間ｔ0で、行電極は、選択信号Ｖsel（図３）により電圧印加され、同時に、データ信号Ｖdは、共通電極１１に供給される。ライン選択時間ＴLが経過した後、後続する行電極１７が瞬間ｔ1で選択される、等である。たとえば、フィールド時間又はフレーム時間といった幾らかの時間の後、通常は、１６．７ミリ秒又は２０ミリ秒の後、前記行電極１７は、選択信号Ｖselにより瞬間ｔ2で再び電圧印加され、同時に、データ信号Ｖdは、変化されない画像のケースで、列電極１１に提供される。選択時間ＴLが経過した後、瞬間ｔ3で次の行電極が選択される。このプロセスは、繰り返される。ディスプレイ装置の双安定特性のため、電気泳動粒子は、それら選択された状態のままにあり、データ信号の繰返しは、所望のグレイレベルが得られたときに数フレーム時間後に停止される。通常、画像の更新時間は、数フレームである。
【００２５】
図５は、数秒の停止時間の後に交互する極性のパルスを有するデータ信号５０に関する、図２のディスプレイ装置の表示素子の光学的応答を表している第一の信号５１を示している。図５では、光学的応答５１は、破線で示されており、データ信号は、実線で示されている。データ信号５０のそれぞれのパルス５２は、２００ミリ秒の期間、及び交互するプラス１５Ｖとマイナス１５Ｖの電圧を有している。図５は、第一の負のパルス５２の後の光学的応答５１が、第三又は第四の負のパルスの後にのみ得られる所望のグレイレベルでないことを示している。
【００２６】
データ信号による所望のグレイレベルの精度を改善するため、プロセッサ１５は、次のリフレッシュフィールドのデータパルスの前の１つのプリセットパルス又は一連のプリセットパルスを発生し、パルス時間は、典型的に、画像の更新と次の後続する画像の更新との間のインターバルよりも短い５倍から１０倍である。このケースでは、２つの画像の更新の間のインターバルは２００ミリ秒である。プリセットパルスの期間は、典型的に２０ミリ秒である。
【００２７】
図６は、プラスとマイナス１５Ｖの交互する極性の電圧を有する、一連の２０ミリ秒の１２のプリセットパルスと２００ミリ秒のデータパルスの応答として、図２のディスプレイ装置のデータ信号６０の光学的応答を示している。図６では、光学的応答５１は、破線で示され、改善された光学的応答６１は、一点鎖線により示され、データ信号は実線で示されている。一連のプリセットパルスは、交互する極性からなる１２のパルスから構成されている。それぞれのパルスの電圧は、プラス又はマイナス１５Ｖである。図６は、グレイスケールの精度の著しい増加を示しており、光学的応答６１は、第四のデータパルス５５の後の光学的応答として、実質的に等しいレベルにある。第一の光学状態に対応する２つの電極のうちの一方に近い第一の位置にある電気泳動粒子を解放するために十分なエネルギーであって、第二の光学状態に対応する他方の電極に近くの第二の位置に粒子が到達するには余りに低すぎるエネルギーを有するパルスであるプリセットパルスを印加することで、画像の品質が向上される。しかし、プリセットパルスにより導入される幾つかのフリッカは、目に見ることができ、光学的応答５６を参照されたい。このフリッカが目に見えるのを低減するため、プロセッサ１５及び行ドライバ１６は、表示素子に関連する行電極１７が２つのグループに相互接続されるように構成することができ、プロセッサ１５及び列ドライバ１０は、第一の位相を有する第一のプリセット信号を第一の表示素子のグループに発生し、第二の位相を有する第二のリセット信号を第二の表示素子のグループに発生することで、反転スキームを実行するために構成され、これにより、第二の位相は、第一の位相に対して反対である。代替的に、複数のグループが定義され、プリセットパルスが異なる位相で供給される。たとえば、行電極１７は、偶数行の１グループと奇数行の１グループとの２つのグループに相互接続することができ、プロセッサは、負のパルスで始まるプラスとマイナス１５Ｖの交互する極性の６つのプリセットパルスからなる第一のプリセット信号を偶数行の表示素子に発生し、正のパルスで始まるプラスとマイナス１５Ｖの交互する極性の６つのプリセットパルスからなる第二のプリセット信号を奇数行の表示素子に発生する。
【００２８】
図７は、反転スキームを示す２つのグラフを示している。第一のグラフ７１は、偶数行ｎの表示素子に供給される２０ミリ秒の６つのプリセットパルスからなる第一のプリセット信号に関連し、第二のグラフ７２は、奇数行ｎ＋１の表示素子に供給される２０ｍｓの６つのプリセットパルスからなる第二のプリセット信号に関連する。第二のプリセット信号の位相は、第一のプリセット信号の位相と反対である。パルスの電圧は、プラス１５Ｖとマイナス１５Ｖの間で交互している。
【００２９】
２以上の異なる行グループに印加される一連のプリセットパルスの代わりに、表示素子は、たとえば偶数列の１グループと奇数列の１グループといった２つの列グループに分割することができ、プロセッサ１５は、偶数列の表示素子に負のパルスで始まるプラスとマイナス１５Ｖの交互する極性の６つのプリセットパルスからなる第一のプリセット信号を発生し、奇数行の表示素子に正のパルスで始まるプラスとマイナス１５Ｖの交互する極性の６つのプリセットパルスからなる第二のプリセット信号を発生することで、反転スキームを実行する。ここで、全ての行を同時に選択することができる。更なる実施の形態では、まさに説明された反転スキームは、行及び列の両方に同時に供給され、いわゆるドット反転スキームを生成し、光フリッカを更に低減する。
【００３０】
更なる実施の形態では、対向電極８０は、光フリッカを低減するために、図８に示されるように、２つのインターデジタイズ（interdigitized）櫛型構造８１，８３として成形される。この種の電極は、当業者にとって公知である。２つの対向電極８１，８３は、プロセッサ１５の２つの出力８５，８７に結合される。さらに、プロセッサ１５は、２０ミリ秒であって、負のパルスで始まるプラスとマイナス１５Ｖの交互する極性の６つのプリセットパルスからなる第一のプリセット信号を第一の櫛型構造８１に供給し、２０ミリ秒であって、正のパルスで始まるプラスとマイナス１５Ｖの交互する極性の６つのプリセットパルスからなる第二のプリセット信号を第二の櫛型構造８３に供給することで、反転スキームを生成するために構成される。プリセットパルスが供給された後、２つの櫛型構造８１，８３は、新たなデータがディスプレイ装置に供給される互いに接続することができる。
【００３１】
更なる実施の形態では、プリセットパルスは、更なるストレージキャパシタ２３とピクセルキャパシタンス１８との間で共有する電荷により、更なるストレージキャパシタ２３を介してプロセッサ１５により印加することができる。表示素子の行のストレージキャパシタは、ストレージキャパシタを介して互いに接続され、行ドライバ１６は、第一のグループが表示素子の偶数行に関連され、第二のグループが表示素子の奇数行に関連される、２つのグループにわたるプリセットパルスの反転を可能にする２つのグループにおいて、これらストレージキャパシタを互いに相互接続するために構成される。新たなデータが表示素子に供給される前にグレイスケールの再現を改善するため、行ドライバは、第一のグループに交互する極性の６つのプリセットパルスからなる第一のプリセット信号を発生し、第二のグループに交互する極性の６つのプリセットパルスからなる第二のプリセット信号を発生することで、反転スキームを実行し、これにより第二の信号の位相は、第一の信号の位相と反対である。プリセットパルスが表示素子に供給された後、ストレージキャパシタは、新たなデータが表示素子に供給される前に設置することができる。
【００３２】
次の更なる実施の形態では、プリセットパルスは、図９に示されるように専用のプリセットパルスライン９５にそのソース９４を介して結合される薄膜トランジスタ９０を介してプロセッサ１５により画素電極２２に直接印加することができる。ドレイン９２は、画素電極２２に結合される。ゲート９１は、個別のプリセットパルスアドレス指定ライン９３を介して行ドライバ１６に結合される。アドレス指定ＴＦＴ１９は、たとえば行電極１７を０Ｖに設定することで非導通状態にされる必要がある。
【００３３】
プリセット信号が全ての表示素子に印加されるとき、同時に、フリッカが生じる場合がある。したがって、プリセット信号の反転は、一方のグループが偶数行の表示素子に接続され、一方のグループが奇数行の表示素子と接続される２つのグループにおける更なる薄膜トランジスタ９０の分割により印加される。ＴＦＴ９０の両方のグループは、個別にアドレス可能であり、プリセットパルスライン９５に接続される。プロセッサ１５は、判定スキームを実行する。たとえば、プリセットパルスライン９５を介して第一のグループのＴＦＴ９０に交互する極性をもつ２０ミリ秒及び電圧５Ｖの６つのプリセットパルスからなる第一のプリセット信号を発生し、第二のグループＴＦＴ９０に交互する極性をもつ２０ミリ秒及び電圧５Ｖの６つのプリセットパルスからなる第二のプリセット信号を発生することで、反転スキームを実行し、第二の信号の位相は、第一の信号の位相とは逆である。代替的に、同時にアドレス指定が可能な１つのＴＦＴのセットは、反転されたプリセットパルスをもつ２つの個別のプリセットパルスラインに属することができる。
【００３４】
プリセット信号がＴＦＴ９０に供給された後、ＴＦＴは、新たなデータが列ドライバ１０を介して供給される前にデアクチベートされる。
【００３５】
さらに、更なる電力の低減は、（反転された）プリセットパルス系列に公知の充電リサイクル技術のいずれかを適用し、プリセットパルスサイクルの間に画素を充電及び放電するために使用される電力を低減することで、記載された実施の形態において可能である。
【００３６】
上述した内容は、本発明の第一の態様、プリセットパルス（又はシェイキングパルス）の応用を例示している。
【００３７】
更なる図は、本発明の第二の態様、すなわちパワーアップを介してプリセット又はシェイキングパルスの印加タイミングを例示している。シェイキングは、グレイスケールの精度を増加し、イメージリテンションを除き、停止時間を考慮し、正しく実行された場合に、先に説明されたようにユーザにとって光学的に見えない。これは、ディスプレイが既にアクティブ（パワー）モードにあるときに有利であって、開始節で記載される主要なディスプレイのタイプの利点のうちの１つは、（双安定性のため）電力がスイッチオフされた後に画像が存在したままとなる事実から生じるそれらの低い電力消費である。この理由のため、ディスプレイ装置は、その寿命の大部分をオフ（「スタンバイモード」）で費やす。シェイキングパルスで画像の更新を始める前に、システムが完全にパワーアップされる必要がある場合、このことは、画像の更新の速度が低下する。パワーアップは頻繁であるので、パワーアップと画像が可視状態になる時間との間の全体の時間の低減が好まれる。
【００３８】
本発明の第二の態様は、システムのワーアップ（又は始動又はウェイクアップ）モードにシェイキング系列を組み込むことで、すなわち、画像更新データの受信の完了の前に、パワーアップ又は画像変化動作の受信に応じて、プリセット信号又はプリセットパルスを印加することで、「スタンバイ」モードにある電気泳動ディスプレイにおける画像更新時間を減少するのを狙いとする。本発明の幾つかの実施の形態が以下に記載されたが、全ては、プリセットパルス（シェイキング）の印加が、高品質画像の更新にとって非常に有益であるが、データに独立とすることができ（シェイキングが表示されるべき画像の詳細に依存する必要がなく）、ユーザにとって光学的に目に見ることができ、シェイキング前後の光学状態が実質的に変更されないので、ディスプレイの性能を低下することなしにいずれかの時間で（又はWRONGタイムで）実現することができるという事実による。
【００３９】
この理由のため、幾つかの実施の形態では、シェイキングパルスは、画像の更新がシェイキングに従う確かさがない場合でさえもディスプレイに印加される場合がある。通常起こるように、画像の更新がパワーアップ（又はモード変化）に従う場合、（シェイキングが既に実行されたときに）画像の更新時間が減少される。画像の更新がパワーアップ（又はモード変化）に従わない最も可能性のないケースでは、ディスプレイの画像に損害を与えない。
【００４０】
第一の実施の形態では、シェイキングパルス系列を各パワーアップ又はモードチェンジサイクルに組み込むために提案される。その応用（電子書籍、ＰＤＡ等）でのディスプレイの動作は、以下のようである（図１０）。
・パワーアップ又は動作変化モードへの信号は、アプリケーション（すなわち、ボタン／キーボードが押され、パワースイッチがオンにされ、電子書籍／ＰＤＡオープンアップ等）
・アプリケーションの電力供給が開始される。
・ディスプレイコントローラ及びドライバＩＣが（部分的に）始動される。
・ディスプレイコントローラ及びドライバＩＣが十分に始動されるとすぐ、データに独立なシェイキングパルスがディスプレイに送出される。
・シェイキングパルスの印加後、ディスプレイコントローラが完全に始動された場合、画像の更新が必要とされ、（第一のシェイキングパルスなしで）画像の更新の波形がディスプレイに送出される。
【００４１】
図１０は、本発明の第二の態様のない状況であって（図の上半分）、本発明の第二の態様をもつ状況（図の下半分）を例示している。パワーアップ（Ａpower-up）の印加後、初期の周期は（Ｔpower-up又はＩ）で始まり、この初期周期の間、リセットパルス（Ｖ,ｔ）resetの長さ及び駆動パルス（Ｖ,ｔ）driveの長さのような画像更新データが収集され、その後、シェイキングパルスは、第二の態様（図の上半分）の適用なしに印加され、本発明に係る装置及び方法では、パワーアップ周期の間に画像データが存在するかとは独立に、プリセットパルスが適用される。結果として、スタートアップ周期、すなわちＡpower-upと駆動パルス（Ｖ,ｔ）driveの終わりとの間の期間が短縮される。パワーアップの状態では、シェイキングパルスは、全体システムが完全に動作中でない時間期間の間、すなわち初期化／スタートアップ期間の間で印加される。
【００４２】
多くの状況では、画像更新の要求がタッチ入力（すなわちハードウェア又はソフトウェアボタンを押して）により発生される。タッチ入力イベントは、（ボタンが実際にタッチされているのを確認するため）タッチの圧力が所定の期間の間に予め定義された値を超えるために構築される必要があるので、数１００ミリ秒の期間を通常必要とする。好適な実施の形態では、プリセットパルスの開始は、画像データの更新を開始するためのタッチ時間よりも短いタッチ時間でトリガされ、この時点で、シェイキング系列での初期化をスタートアップすることを提案する。この低減されたタッチイベントは、より迅速に検出される。このように、パワーアップ又は画像変化動作の予測（すなわちフルタッチイベント）でプリセットパルスの印加の開始が行われる。
【００４３】
これは、図１１に概念的に例示される。  
時間の関数（水平軸）として、ボタンに印加される圧力（垂直軸）が示されている。所定の圧力レベル１０１で、プリセットパルスが印加され、したがって時間１０３で、より大きなタッチ圧力１０２の印加で、パワーアップ又は画像変化動作（すなわち、画像更新データの収集）が開始され、これは、図１０においてポイントＡpower-upに対応する。フルタッチイベントが検出された場合、シーケンスがより迅速に開始され、画像の更新は、再び短くなる。誤ったタッチイベントのケースでは（低減されたタッチが検出、フルタッチが検出されない）、シェイキングがディスプレイをシェイキングが生じる前と同じ状態にするので、悪い影響がディスプレイで見られない。
【００４４】
本発明は先に図示及び記載された内容によって限定されるものではないことは、当業者によって理解されるであろう。本発明は、それぞれ新たな特徴及びそれぞれの特徴の組み合わせにある。請求項における参照符号は、それらの保護の範囲で限定されない。動詞「有する“to  comprise”」の使用は、請求項に列挙された以外のエレメントの存在を排除するものではない。エレメントに先行する冠詞“ａ”又は“ａｎ”の使用は、複数のかかるエレメントの存在を排除するものではない。
【００４５】
また、本発明は、プログラムがコンピュータで実行されたときに、本発明に係る方法を実行するためのプログラムコード手段を有するコンピュータプログラム、及びプログラムがコンピュータで実行されたときに、本発明に係る方法を実行するためのコンピュータ読取り可能な媒体に記憶されるプログラムコード手段を含むコンピュータプログラムプロダクト、及び本発明の特定の動作を実行するための、本発明に係るディスプレイパネルでの使用のためのプログラムコード手段を含むプログラムプロダクトで実施される。
【００４６】
本発明は、特定の実施の形態の観点で記載され、これらは本発明の例示であって、限定するとして解釈されるべきではない。本発明は、ハードウェア、ファームウェア又はソフトウェアで実現される場合があり、若しくはこれらの組み合わせで実現される場合がある。他の実施の形態は、以下の請求項の範囲である。  
多くの変形例は、特許請求の範囲から逸脱することなしに本発明の範囲で可能である。
【図面の簡単な説明】
【００４７】
【図１】ディスプレイ装置の一部を示す概念的な断面図である。
【図２】ディスプレイ装置の一部を示す概念的な等価回路図である。
【図３】ディスプレイ装置の駆動信号及び内部信号を示す図である。
【図４】ディスプレイ装置の駆動信号及び内部信号を示す図である。
【図５】データ信号の光学的応答を示す図である。
【図６】プリセット信号とデータ信号の光学的応答を示す図である。
【図７】反対の極性の６パルスからなる２つの隣接する行のための画素電極についてのプリセット信号である。
【図８】インターデジタイズド櫛型構造を含む対向電極の例を示す図である。
【図９】２つのＴＦＴをもつ表示素子の等価回路を示す図である。
【図１０】本発明の第一の実施の形態を例示する図である。
【図１１】本発明の第二の実施の形態を例示する図である。
【図１】
2007527024.tif 000003
【図２】
2007527024.tif 000004
【図３】
2007527024.tif 000005
【図４】
2007527024.tif 000006
【図５】
2007527024.tif 000007
【図６】
2007527024.tif 000008
【図７】
2007527024.tif 000009
【図８】
2007527024.tif 000010
【図９】
2007527024.tif 000011
【図１０】
2007527024.tif 000012
【図１１】
2007527024.tif 000013
【国際調査報告】
2007527024.tif 000014
2007527024.tif 000015